(57)【要約】      （修正有）【課題】タブレット型端末のような精密機械に代表される、外力からの保護を要する要保護物品を保護しつつ運搬できるランドセルを提供する。【解決手段】最も大きな容積を有する収納部位である主収納部１１と、主収納部の後壁部を構成する背当て部３と、主収納部を挟んで背当て部とは反対側の位置に配置される副収納部１５と、を有するランドセル本体１を備えたランドセルＲであって、主収納部における副収納部側の位置に、要保護物品を収納する保護収納部３１が、ランドセル本体から着脱可能に設けられる。【選択図】図１
0003210939.tif 000002
【実用新案登録請求の範囲】
【請求項１】
最も大きな容積を有する収納部位である主収納部と、前記主収納部の後壁部を構成する背当て部と、前記主収納部を挟んで前記背当て部とは反対側の位置に配置される副収納部と、を有するランドセル本体を備えたランドセルにおいて、
前記主収納部における前記副収納部側の位置に、要保護物品を収納する保護収納部が設けられる
ことを特徴とするランドセル。
【請求項２】
前記保護収納部と前記ランドセル本体とに、相互に係合を解除可能に係合する保護収納部側係止部と、ランドセル本体側係止部とが設けられて、前記保護収納部が前記ランドセル本体に対して着脱可能に構成され、
前記保護収納部は、前記主収納部の開口部と開口方向を同じくする開口部を備える
ことを特徴とする請求項１に記載のランドセル。
【請求項３】
前記ランドセル本体側係止部と前記保護収納部側係止部とが相互に係合可能な雌雄一対の係止部材からなり、
前記ランドセル本体と前記保護収納部のうち、前記係止部材の雄側が設けられる側に、前記係止部材の雌側と同一構成の収め係止部が設けられる
ことを特徴とする請求項２に記載のランドセル。
【請求項４】
前記ランドセル本体側係止部と前記保護収納部側係止部のいずれか一方が、相互に係合可能な雌雄一対の係止部材を備えて構成され、
前記雌雄一対の係止部材を相互に係合させることにより前記ランドセル本体側係止部と前記保護収納部側係止部とが相互に係合され、
前記雌雄一対の係止部材の係合を解除することにより、前記ランドセル本体側係止部と前記保護収納部側係止部との係合が解除される
ことを特徴とする請求項２に記載のランドセル。
【請求項５】
前記保護収納部が、持ち手を備えることを特徴とする請求項２から請求項４のいずれかに記載のランドセル。
【考案の詳細な説明】
【技術分野】
【０００１】
本考案は、ランドセルに関する。
【背景技術】
【０００２】
情報通信技術が急速に発展する時代において、小中学校等の教育現場でも情報活用能力の育成を従来よりも一層推進していくことが、先般発表された学習指導要領の改定案に盛り込まれた。小中学校におけるこうした情報教育は、従来は専用の教室に設置された据え置き型のデスクトップコンピュータを使用して行われていたが、近年では、そのツールとして、可搬性に優れ利用場所を選ばない、いわゆるタブレット型の端末が、据え置き型のコンピュータに取って代わりつつある。こうした中、小学生が一人に一台タブレット型端末を持ち、教科書等と共にランドセルで持ち運びする時代が目前に迫る状況となっている。しかし、タブレット型端末は、圧迫や衝撃等の外力に弱い精密機械である。一方、そのような精密機械が中に入っているからといって、小学生がランドセルの取り扱いにそれほど注意を払うということはあまり期待できない。そこで、タブレット型端末に故障及び損傷を生じさせないように安心して運搬できる機能をランドセル側に付加することが必要となる。
【０００３】
これに鑑み、特許文献１において、タブレット型端末のような外力からの保護を要する要保護物品を収納するための保護収納部を備えるランドセルが提案されている。この保護収納部は、内周面に、収納した要保護物品に衝撃等による損傷を与えにくくするためのスエード面を有して、ランドセルの最も容積の大きな収納部である主収納部内における主収納部の後壁部を構成する背当て部側の位置、あるいは、主収納部外の、主収納部を挟んで背当て部とは反対側となる位置に配置される。
【０００４】
しかしながら、ランドセルは、背負わない時には、背当て部あるいは閉蓋状態における背当て部とは反対側となる前面側が下側になるように床面や地面上に載置される（以後、この状態を横置き状態という）ことが多いため、保護収納部が主収納部内における背当て部側や、主収納部よりもランドセル本体の前面側の位置に配置される場合には、横置き状態において、保護収納部は最も底側に近い位置、あるいは、最も上側に近い位置に配置されることになってしまう。これでは保護収納部に収納された要保護物品が、教科書等の他のランドセルの収納物の下敷きになって圧迫されやすい、あるいは上方からの圧迫や衝撃等の外力を受けやすい状況になり、要保護物品に損傷が生じる恐れがあるため、上述の位置は、要保護物品を収納する保護収納部にとって好ましい収納位置とはいえない。
【先行技術文献】
【特許文献】
【０００５】
【特許文献１】登録実用新案第３１８０９５４号公報
【考案の概要】
【考案が解決しようとする課題】
【０００６】
本考案は、上述の問題を解決するものであり、タブレット型端末のような精密機械に代表される、外力からの保護を要する要保護物品を保護しつつ運搬できるランドセルを提供することを目的とする。
【課題を解決するための手段】
【０００７】
本考案に係るランドセルは、最も大きな容積を有する収納部位である主収納部と、主収納部の後壁部を構成する背当て部と、主収納部を挟んで背当て部とは反対側の位置に配置される副収納部と、を有するランドセル本体を備えたランドセルであって、主収納部における副収納部側の位置に、要保護物品を収納する保護収納部が設けられることを特徴とする。この位置は、ランドセル本体における前後方向の幅の略中心に当たる位置であり、ランドセルが、背当て部あるいは反対の前面側を下にして載置される横置き状態において、最も底側となる背当て部あるいは前面側からも、最も上部となる前面側あるいは背当て部からも離れた位置になるため、保護収納部に収納された要保護物品が、ランドセルの他の収納物の下敷きになって圧迫され難くなり、また、上方からの衝撃の影響も受け難くなる。したがって、要保護物品を持たせることに不安がある小学生が使用するとしても、本願考案に係るランドセルでは、要保護物品を保護しつつ運搬できる。
【０００８】
上述のランドセルにおいては、保護収納部とランドセル本体とに、相互に係合を解除可能に係合する保護収納部側係止部と、ランドセル本体側係止部とを設け、保護収納部をランドセル本体に対して着脱可能に構成することが望ましい。この構成によれば、学校に到着した後の学校内での移動時や校外学習時等にも、保護収納部のみをランドセル本体から取り外して、要保護物品を保護しつつ運搬することができる。またその際、保護収納部に、主収納部の開口部と開口方向を同じくする開口部を設けることとすれば、保護収納部をランドセル本体に取り付けたままでも、要保護物品の出し入れがしやすい。
【０００９】
また、保護収納部をランドセル本体に対して着脱可能とした場合には、保護収納部に持ち手を設けることとすれば、保護収納部をランドセル本体から取り外して単独で使用する際に運搬しやすく、便利である。
【００１０】
上述したランドセルにおいて、ランドセル本体側係止部と保護収納部側係止部とが相互に係合可能な雌雄一対の係止部材からなる場合には、ランドセル本体と保護収納部のうち、係止部材の雄側が設けられる側に、雌側の係止部材と同一構成の収め係止部を設けることが望ましい。そのような収め係止部は、保護収納部をランドセル本体から取り外した際に、雌側の係止部材との係合を解除された雄側の係止部材が、その突出した構造、あるいは鉤型構造等のために周囲の物を傷つける等のことがないように、雄側の係止部材と収まりよく係合してその突出した、あるいは鉤型の構造等を露出させないようにすることができる。
【００１１】
あるいは、ランドセル本体側係止部と前記保護収納部側係止部のいずれか一方を、相互に係合可能な雌雄一対の係止部材を備えて構成し、雌雄一対の係止部材を相互に係合させることによりランドセル本体側係止部と保護収納部側係止部とが相互に係合され、雌雄一対の係止部材の係合を解除することにより、ランドセル本体側係止部と保護収納部側係止部との係合が解除されるように構成してもよい。この構成では、ランドセル本体側係止部と保護収納部側係止部との係合を解除して保護収納部をランドセル本体から取り外した場合にも、雌雄一対の係止部材を備えたランドセル本体側係止部あるいは保護収納部側係止部において、雌雄の係止部材を相互に収まりよく係合させておくことができるので、係止部の雄側の突出した構造あるいは鉤型の構造等により、周囲のものを傷つけることを防止することができる。
【図面の簡単な説明】
【００１２】
【図１】実施形態のランドセルの斜視図である。
【図２】図１のランドセルを横置きした状態を示す側面図である。
【図３】実施形態のランドセル本体の斜視図である。
【図４】保護収納部の正面図である。
【図５】保護収納部の背面図である。
【図６】保護収納部の側面図である。
【図７】保護収納図の正面図であり、保護収納部側係止部と収め係止部とを相互に係合させた状態を示す。
【図８】本考案の別の実施形態のランドセルを示す模式図である。
【図９】本考案のさらに別の実施形態のランドセルを示す側面図である。
【考案を実施するための形態】
【００１３】
以下に本考案の望ましい実施形態を図面に基づいて説明する。
【００１４】
図１および２に示す本考案の一実施形態に係るランドセルＲは、ランドセル本体１と、タブレット型端末等の、外力からの保護を要する要保護物品Ｗを収納する部位である保護収納部３１と、を備える。
【００１５】
ランドセル本体１は、図３に示すように、最も容積の大きな収納部位である主収納部としての大襠１１（オオマチ）と、大襠１１より容積の小さい副収納部１５，１６と、背当て部３と、各収納部の開口を覆う蓋部としてのかぶせ部５と、を備える。
【００１６】
主収納部としての大襠１１は、教科書等を収納するための、ランドセル本体１の最も容積の大きな収納部位である。本実施形態においては、図１に示すランドセルＲの縦置き状態、すなわち、大襠１１の開口部１１ｃが上を向くようにランドセルＲを床面（地面を含む意である）に配置した状態における上方を上方（Ｕ）、下方を下方（Ｄ）、背当て部３側を後方（Ｂ）、その逆方向を前方（Ｆ）とし、前方から見た右側を右（Ｒ）、左側を左（Ｌ）として説明する。大襠１１の前壁部１１ｂは、前方に配置される、後述する副収納部（小襠、コマチ）１５の後壁部１５ａも兼ねており、主収納部１１と副収納部１５とを区画する隔壁を構成する。本実施形態では、図３に示すように、この前壁部１１ｂ（すなわち、副収納部１５の後壁部１５ａ）の前面部１１ｂｆの上端近傍に、後述するように、保護収納部３１側に設けられる係止部（保護収納部側係止部）４５としての雄スナップ４７と係合する係止部（ランドセル本体側係止部）１８としての雌スナップ２０が、左右の二箇所設けられている。前壁部１１ｂと対向する大襠１１の後壁部１１ａは、背当て部３によって構成される。
【００１７】
背当て部３は、背負いベルト（図符号省略）を利用して背負った際に児童の背中に当接する部位であり、主収納部としての大襠１１の後壁部１１ａを構成する。
【００１８】
副収納部１５，１６は、ランドセル本体１における、縦置き状態において大襠１１の前側となる位置、言い換えれば、大襠１１を挟んで、背当て部３とは反対側に配置される、大襠１１よりも容積の小さい収納部位である。本実施形態では、大襠１１から前方に向かって順に、小襠１５と、前ポケット１６とが設けられており、副収納部とは、小襠１５と、前ポケット１６とを総称したものである。大襠１１と小襠１５とが、上方を開放させた構成であるのに対し、前ポケット１６は、ファスナー（図符号省略）で閉じられる構成としている。上述したように、小襠１５の後壁部１５ａは、大襠１１の前壁部１１ｂと兼用され、主収納部１１と副収納部１５とを区画する隔壁を構成する。
【００１９】
蓋部としてのかぶせ部５は、背当て部３の上端部３ａから連なって延び、本実施形態では、大襠１１の開口部１１ｃと副収納部１５の開口部（図符号省略）との上方と、ランドセル本体１の前面とを覆ってランドセルＲの蓋をする構成とされている。
【００２０】
保護収納部３１は、タブレット型端末等の、圧迫や衝撃等の外力からの保護を要する要保護物品Ｗを収納する部位であり、主収納部としての大襠１１における、背当て部３から離れた副収納部１５，１６側の位置に配置されるものである。この保護収納部３１の配置位置は、図１に示すランドセルＲの縦置き状態において、背当て部３からも、かぶせ部５を除き最も前面側に配置される前ポケット１６からも離れた、ランドセル本体１の前後方向の幅の略中心に当たる位置である。また、図２に示す、背当て部３が下側になるように床に置かれる横置き状態においては、最も底側となる背当て部３から離れているため、ランドセルの他の収納物Ｃの下敷きになって圧迫されることなく、また、かぶせ部５と、副収納部１５，１６とがクッションとなって、上方からの外力の影響も受け難い位置である。
【００２１】
本実施形態における保護収納部３１は、ランドセル本体１から着脱可能に構成されるもので、要保護物品Ｗを収納する収納本体部３３と、ランドセル本体側係止部１８（すなわち、雌スナップ２０）と係合する保護収納部側係止部４５と、持ち手５０と、を備える。
【００２２】
図４から図６に示すように、収納本体部３３は、衝撃吸収性の高い素材から、例えばタブレット型端末を収納するのに適した袋状あるいは薄い箱状に形成されるものである。本実施形態の収納本体部３３は、弾力性を有する合成ゴム素材からそれぞれ略長方形に形成される前側壁部３４と後側壁部３５との２部材の周縁を結合させて、上部に開口部３６を備えた略長方形の袋状に形成されるものである。前側壁部３４は、保護収納部３１がランドセル本体側係止部１８と保護収納部側係止部４５とを係合させて大襠１１における副収納部１５側の位置に配置された際に前方（すなわち、副収納部１５側）を向く側の壁部であり、後側壁部３５は、このとき、後方（すなわち、背当て部３側）を向く側の壁部である。本実施形態の収納本体部３３は、開口部３６を塞ぐ蓋部３７を備える。蓋部３７は、元部３７ａ側を収納本体部３３の前側壁部３４の上端部３４ａに結合され、先端部３７ｂ側を、内周側と、後側壁部３５の外周側にそれぞれ設けられる対の面ファスナー等の係止部材（図示省略）を利用して開閉自在に構成される。また、後側壁部３５には、厚さの薄い物品を収納可能なポケット３５ａが設けられている。
【００２３】
保護収納部側係止部４５は、ランドセル本体側係止部１８と係合して、保護収納部３１を、主収納部としての大襠１１における副収納部１５側の位置に配置させるもので、本実施形態の場合、ランドセル本体側係止部１８としての雌スナップ２０と係合可能な雄スナップ４７から構成される。本実施形態では、雄スナップ４７は、収納本体部３３の前側壁部３４の上端部３４ａから延設されるストラップ部４６の先端部４６ａに設けられる。ストラップ部４６は、布帛製の帯状部材から短尺に形成されるもので、元部４６ｂ側を収納本体部３３の前側壁部３４の上端部３４ａに結合させて、先端部４６ａ側を自由端としている。ストラップ部４６は、前側壁部３４の上端部３４ａにおける左右両端部３４ｂ，３４ｃ近傍の二箇所に配置される。雄スナップ４７，４７は、真っ直ぐに伸ばした状態における左右のストラップ部４６，４６の各々の先端部４６ａ側における、収納本体部３３の後側壁部３５とは反対側を向く側に設けられる。
【００２４】
持ち手５０は、保護収納部側係止部４５とランドセル本体側係止部１８との係合を解き、保護収納部３１をランドセル本体１から取り外して使用する際の持ち手となるものである。本実施形態の持ち手５０は、上述のストラップ部４６と同様の布帛製の帯状部材からなり、両端部５０ａ，５０ａを、収納本体部３３の前側壁部３４の上端部３４ａに結合させて形成されている。なお、実施形態では、上述した収納本体部３３の蓋部３７の元部３７ａと、ストラップ部４６，４６の元部４６ｂ，４６ｂと、持ち手５０の両端部５０ａ，５０ａとを収納本体部３３の前側壁部３４の上端部３４ａに配置させた状態で、別途の布帛製の帯状部材からなる押さえ布５３を、蓋部３７の元部３７ａと、左右のストラップ部４６，４６の元部４６ｂ，４６ｂと、持ち手５０の両端部５０ａ，５０ａと共に前側壁部３４に縫合することにより、収納本体部３３の蓋部３７と、左右のストラップ部４６，４６と、持ち手５０とが、前側壁部３４に結合されている。
【００２５】
また、本実施形態では、保護収納部３１における保護収納部側係止部４５としての雄スナップ４７，４７の近傍に、雄スナップ４７と係合可能な収め係止部としての雌スナップ６０，６０が配置されている。雌スナップ６０，６０は、ランドセル本体１に設けられるランドセル本体側係止部１８としての雌スナップ２０，２０と同一構成のものである。収め係止部６０は、図７に示すように、保護収納部３１をランドセル本体１から取り外して単独で使用する際に、ランドセル本体側係止部１８との係合を解除された保護収納部側係止部４５としての雄スナップ４７と係合して雄スナップ４７を露出させないようにするためのものである。本実施形態では、保護収納部３１の単独使用時に、ストラップ部４６，４６が垂れ下がらないようにする役目も果たす。本実施形態では、雌スナップ６０，６０は、上述した押さえ布５３における、各ストラップ部４６の元部４６ｂ近傍の位置に設けられる。
【００２６】
上述のように構成されたランドセルＲでは、外力からの保護を要する要保護物品Ｗを収納するための保護収納部３１が、主収納部としての大襠１１における副収納部１５，１６側の位置に設けられている。この位置は、ランドセル本体１の前後方向の幅の略中心に当たる位置であり、ランドセルＲが、背当て部３あるいは閉めた状態のかぶせ部５を下にして載置される横置き状態において、最も底側となる背当て部３あるいはかぶせ部５からも、最も上部となるかぶせ部５あるいは背当て部３からも離れた位置になるため、要保護物品Ｗを収容した保護収納部３１が、ランドセルＲの他の収納物Ｃの下敷きになって圧迫され難く、また、上方からの衝撃の影響も受け難い。したがって、要保護物品Ｗを持たせることに不安がある小学生が使用するとしても、ランドセルＲでは、要保護物品Ｗを保護しつつ運搬できる。
【００２７】
また実施形態のランドセルＲでは、保護収納部３１とランドセル本体１とに、相互に係合を解除可能に係合する保護収納部側係止部４５（雄スナップ４７）と、ランドセル本体側係止部１８（雌スナップ２０）とが設けられて、保護収納部３１がランドセル本体１に対して着脱可能に構成されている。これにより、学校に到着した後の学校内での移動時や校外学習時等にも、保護収納部３１をランドセル本体１から取り外して、要保護物品Ｗを保護しつつ運搬することができる。また、保護収納部３１は、開口部３６を上方に開口させる構成として、ランドセル本体１の主収納部１１の開口部１１ｃと開口方向を同じくしている。このため、ランドセル本体１から着脱可能としたものの、保護収納部３１をランドセル本体１に取り付けたままでも、要保護物品Ｗの出し入れがしやすい。
【００２８】
なお上述した実施形態では、保護収納部３１に設けられる保護収納部側係止部４５を、収納本体部３３から延設されるストラップ部４６の先端部４６ａに設けられる雄スナップ４７から構成し、ランドセル本体１に設けられるランドセル本体側係止部１８を、主収納部としての大襠１１の前壁部１１ｂの前面部１１ｂｆに設けられる雌スナップ２０から構成したが、保護収納部側係止部４５とランドセル本体側係止部１８との構成は、これに限られない。例えば、本実施形態における雄スナップ４７と雌スナップ２０とを、面ファスナー等の、相互に係合を解除可能な一対の係止部材に代えて、保護収納部側係止部４５とランドセル本体側係止部１８とを構成してもよい。
【００２９】
また本実施形態では、保護収納部側係止部４５を、収納本体部３３から延設されるストラップ部４６の先端部４６ａに設けるものとし、ランドセル本体側係止部１８を大襠１１の前壁部１１ｂの前面部１１ｂｆに設けるものとしたが、図９に示すランドセルＲＡのように、ランドセル本体側係止部１８Ａを、大襠の前壁部１１ｂの後面部１１ｂｂに設け、保護収納部側係止部４５Ａを、保護収納部３１における収納本体部３３の前側壁部３４にストラップ部を介さず直接設けることとしてもよい。この場合、保護収納部側係止部４５Ａとランドセル本体側係止部１８Ａとは、スナップや面ファスナー等の、相互に係合を解除可能な一対の係止部材から構成すればよい。
【００３０】
また本実施形態では、ランドセル本体側係止部１８を大襠１１の前壁部１１ｂに設け、保護収納部３１が大襠１１の前壁部１１ｂに対して係止される構成としたが、ランドセル本体側係止部１８の位置はこれに限らず、保護収納部３１が、主収納部としての大襠１１における副収納部１５，１６側の位置に配置されるのであれば、ランドセル本体側係止部１８を、例えば大襠１１の左右の壁部１１ｄ（図３）等に設けてもよい。
【００３１】
なお、上述のような効果を考慮しないのであれば、保護収納部３１は、ランドセル本体１の主収納部としての大襠１１における副収納部１５、１６側の位置に配置されるように、ランドセル本体１に対して着脱不可能に固定して設けられる構成としてもよい。
【００３２】
また本実施形態のランドセルＲでは、保護収納部３１に持ち手５０が設けられているので、保護収納部３１を、ランドセル本体１から取り外して単独で使用する際に運搬しやすく、便利である。
【００３３】
また本実施形態のランドセルＲでは、ランドセル本体側係止部１８と保護収納部側係止部４５とが、相互に係合可能な雌雄一対の係止部材である雌スナップ２０と雄スナップ４７とから構成され、保護収納部３１に、雌スナップ２０（ランドセル本体側係止部１８）と同一の構成の雌スナップ、すなわち収め係止部６０が設けられている。このような収め係止部６０は、図７に示すように、保護収納部３１をランドセル本体１から取り外して単独で使用する際に、ランドセル本体側係止部１８との係合を解除された雄スナップ４７からなる保護収納部側係止部４５が、その突出する構造等のために周囲の物を傷つける等のことがないように、雄スナップ４７（保護収納部側係止部４５）と係合してその突出構造を露出させないようにすることができる。
【００３４】
なお、本実施形態では、ランドセル本体側係止部１８が雌スナップ２０、保護収納部側係止部４５が雄スナップ４７から構成されるものとしたが、ランドセル本体側係止部１８を雌雄一対の係止部材の雄側、保護収納部側係止部４５を雌側から構成することも当然考えられ、その場合には、雄側の係止部材が設けられるランドセル本体１に、雌側の係止部材からなる収め係止部を設ければよい。また上述したような、ランドセル本体側係止部１８と保護収納部側係止部４５とを対の面ファスナーで構成した場合にも、ランドセル本体１と保護収納部３１のうち、面ファスナーの雄側が設けられる側に、雌側の面ファスナーからなる収め係止部６０を設ければ、雄側の面ファスナーがその鉤型構造のために周囲のものを傷つけることを防止することができ、また、鉤型構造に周囲のものの繊維質などが絡まるために雄側の面ファスナー自体の係合性能が劣化することも防止できる。
【００３５】
図８は、別の態様のランドセル本体側係止部と保護収納部側係止部とを備えたランドセルＲＢを示すものである。ランドセルＲＢのランドセル本体１におけるランドセル本体側係止部１８Ｂは、主収納部としての大襠１１の前壁部１１ｂの前面部１１ｂｆの上端近傍の左右二箇所に固定されるＤカン２２，２２から構成される。保護収納部３１側に設けられる保護収納部側係止部４５Ｂは、収納本体部３３の前側壁部３４の上端部３４ａの左右二箇所から延設されるストラップ部４６，４６と、各ストラップ部４６の先端部４６ａと中間部４６ｃとに設けられる雌雄一対の係止部材としての面ファスナー７１（７１ａ、７１ｂ）とから構成される。ランドセルＲＢでは、ストラップ部４６，４６が、大襠１１の前壁部１１ｂに設けられたランドセル本体側係止部１８ＢとしてのＤカン２２，２２にそれぞれ挿通され、面ファスナーの雄部７１ａと雌部７１ｂとが相互に係合されることにより、ランドセル本体側係止部１８Ｂと保護収納部側係止部４５Ｂとが相互に係合される。なおランドセルＲＢにおいては、ランドセル本体側係止部１８Ｂと保護収納部側係止部４５Ｂを除いた部位の構成は、上述のランドセルＲと同様である。
【００３６】
この構成によれば、面ファスナーの雄部７１ａと雌部７１ｂとの係合を解除することによりランドセル本体側係止部１８Ｂと保護収納部側係止部４５Ｂとの係合を解除して保護収納部３１をランドセル本体１から取り外して単独で使用する際にも、保護収納部側係止部４５Ｂを構成する面ファスナーの雄部７１ａと雌部７１ｂとを係合させておけば、雄部７１ａがその鉤型構造のために周囲のものを傷つけることを防止することができる。また、雄部７１ａ自体も、周囲のものの繊維質などが絡まるために係合性能が劣化することも防止できる。
【００３７】
また、図示を省略するが、更なる変形例として、保護収納部３１側にＤカンを取り付けて保護収納部側係止部とし、ランドセル本体１側に、例えばストラップと、ストラップ上に取り付けられたスナップや面ファスナー等の雌雄一対の係止部材と、からなる保護収納部側係止部を設ける構成とした場合でも、保護収納部３１をランドセル本体１から取り外した場合に、ランドセル本体側係止部を、雌雄の係止部材を相互に収まりよく係合させておくことができるので、係止部材の雄側の突出したあるいは鉤型の構造等により、周囲のものを傷つけることを防止することができる。
【００３８】
なお、上述したランドセルＲ，ＲＢでは、それぞれランドセル本体側係止部１８，１８Ｂと保護収納部側係止部４５，４５Ｂとを、主収納部としての大襠１１の前壁部１１ｂと、収納部本体３３の前壁部３４とにそれぞれ２個ずつ配置されるものとして説明したが、各係止部１８，１８Ａ，１８Ｂと４５，４５Ａ，４５Ｂの数はこれに限られず、例えば、ランドセル本体側係止部を、大襠１１の前側壁部１１ｂの上端近傍の左右の中央付近に１個、保護収納部側係止部を、収納本体部３３の前側壁部３４の上端部３４ａの左右の中央付近に１個と、１個ずつ設けることとしてもよいし、３個以上設けてもよい。
【符号の説明】
【００３９】
１  ・・・  ランドセル本体
３  ・・・  背当て部
１１  ・・・  主収納部
１１ａ  ・・・  後壁部
１１ｃ  ・・・  開口部
１５，１６  ・・・  副収納部
１８，１８Ａ，１８Ｂ  ・・・  ランドセル本体側係止部
２０  ・・・  係止部材（雌スナップ）
３１  ・・・  保護収納部
３６  ・・・  開口部
４５，４５Ａ，４５Ｂ  ・・・  保護収納部側係止部
４７  ・・・  係止部材（雄スナップ）
５０  ・・・  持ち手
６０  ・・・  収め係止部
７１  ・・・  係止部材
Ｒ，ＲＡ，ＲＢ  ・・・  ランドセル
【図１】
0003210939.tif 000003
【図２】
0003210939.tif 000004
【図３】
0003210939.tif 000005
【図４】
0003210939.tif 000006
【図５】
0003210939.tif 000007
【図６】
0003210939.tif 000008
【図７】
0003210939.tif 000009
【図８】
0003210939.tif 000010
【図９】
0003210939.tif 000011